(57)【要約】      （修正有）【課題】固定器を移動させて定位する操作の利便性を高めるラケットのガット張り機のラケットフレーム固定器の定位構造を提供する。【解決手段】定位構造は、ラック１０、爪部品３０、操作部品４０、バネ５０を備える。ラック１０はガット張り機の台板９０に嵌めて設置し、ラック頂点面には複数の単方向ラチェット１２を一列に設置する。固定器８０の柱状本体８１は台板の頂点に設置し、本体内部には収容室８５を設置し、ラックと隣接する。爪部品と、バネと、操作部品は、収容室内に設置される。バネの一端は本体と接続し、反対端は爪部品と接続し、操作部品の一端はロック部４１であり、反対端は定位部４２であり、ロック部と定位部との間の湾曲状部分は操作部４３であって、本体外へと突出する。爪部品の頂点端はロック部と定位部との間に延伸し、ロック部が爪部品のスイングを止める。【選択図】図４
0003173761.tif 000002
【実用新案登録請求の範囲】
【請求項１】
ラケットのガット張り機のラケットフレーム固定器の定位構造は、ラック、爪部品、操作部品、バネを備え、
前記ラックは、ガット張り機の台板に嵌めて設置し、前記ラック頂点面には、複数の単方向ラチェットを一列に設置し、
固定器の柱状本体は、前記台板の頂点に設置し、前記本体内部には、収容室を設置し、前記ラックと隣接し、
前記爪部品は、前記収容室内に可動状に設置し、前記爪部品の底端は、前記ラックに向かい延伸し、前記ラックのラチェットと単方向固定を形成し、これにより前記固定器を定位し、
前記バネは、前記収容室内に設置し、前記バネの一端は、前記本体と接続し、反対端は、前記爪部品と接続し、こうして前記爪部品は、前記ラックに対する単方向固定を保持することができ、
前記操作部品は、前記収容室に可動状に設置する湾曲したカギ状板体で、前記操作部品の一端は、ロック部で、反対端は、定位部で、前記ロック部と前記定位部とは、相対し、しかも前記操作部品は、前記ロック部と前記定位部との間の湾曲状部分は、操作部で、前記操作部は、前記本体外へと突出し、前記操作部品は、前記定位部に、ピボットを設置し、前記本体と可動状に接続し、
前記爪部品頂点端は、前記ロック部と前記定位部との間に延伸し、しかも前記ロック部の底面と隣接し、これにより前記ロック部は、前記爪部品のスイングを止め、こうして前記固定器を移動させて定位する操作の利便性を高めることを特徴とするラケットのガット張り機のラケットフレーム固定器の定位構造。
【請求項２】
前記操作部品は、片側が横向きに陥没し長槽を形成し、
前記長槽には、位置限定棒を可動状に挿入し、前記位置限定棒の一端は、前記本体と接続し、
これにより、前記操作部品のスイング範囲を制限することを特徴とする請求項１に記載のラケットのガット張り機のラケットフレーム固定器の定位構造。
【請求項３】
前記爪部品中央部分には、軸棒を貫通状に設置し、
前記軸棒は、前記収容室の両側内壁に通して設置し、これにより前記爪部品は、前記軸棒を軸心として、往復スイング作動を行うことを特徴とする請求項１に記載のラケットのガット張り機のラケットフレーム固定器の定位構造。
【請求項４】
前記バネの一端は、定位ピンに嵌め、
前記定位ピンは、前記本体と螺合して接続し、しかも前記バネの一端は、前記収容室の内壁に接触し、
前記バネの反対端は、前記爪部品に可動状に嵌め、こうして前記バネを定位することを特徴とする請求項１に記載のラケットのガット張り機のラケットフレーム固定器の定位構造。
【請求項５】
前記台板底面には、受止板を設置し、
前記受止板に、前記ラックを設置して定位することを特徴とする請求項１に記載のラケットのガット張り機のラケットフレーム固定器の定位構造。
【考案の詳細な説明】
【技術分野】
【０００１】
本考案はラケットのガット張り機に関し、特にラケットのガット張り機のラケットフレーム固定器の定位構造に関する。
【背景技術】
【０００２】
テニスラケット、バドミントンラケットなど環状のフレームを備える球技の器具は、ラケットフレーム内に、弾性を備えるガットを張り巡らし、網状の打球面を形成する。効果的に球を打ち、しかもプレーヤーが打球後の球体の飛行方向をコントロールできるようにするため、該打球面は、適当なテンションを呈する。打球面のテンションは、ガットを張って打球面を形成する時の、ガットが受ける引き伸ばし作用が形成する引応力数値によって決まる。ガットを張る作業を容易にし、しかも引応力数値を正確にするため、一般的には、ガット張り機を利用してガット張り作業を行う。
【０００３】
ガット張り機で、ガットの張り作業を行う前に、先ず、ガット張り機が備える一対のフレーム固定器を利用し、ラケットのフレームを固定して定位する。図１、２に示すように、従来のフレーム固定器の定位構造は、ガット張り機の台板１頂点面に固定して設置する導板２、固定器３、固定ボルト５を備える。導板２は、軸方向に沿って、長方形の導槽２０２を穿って設置する。固定器３の柱形ベース４は、導板２頂点縁に接触する。ベース４底部部分は中空状を呈し、しかも底板４０２を備える。底板４０２底端には、２本の固定柱４０４を突出状に設置し、固定柱４０４は、導槽２０２に可動状に入る。固定ボルト５一端には、プラスチック回転ヘッド５０２を備え、他端は、台板１底端から、導槽２０２を通過して、底板４０２に螺合して接続する。固定ボルト５は、回転ヘッド５０２と台板１との間に、ワッシャー５０４を設置する。これにより、固定ボルト５を回して緩めれば、ベース４を押し、導槽２０２に沿って往復移動させることができる。ベース４を、挟持しようとするラケットまで移動して定位後は、固定ボルト５を回して締める。こうして、固定器３を定位でき、各固定器３を、ラケットの環状フレームに対して固定することができる。
【０００４】
各種違った形式のラケットは、それぞれサイズ、形式が違うフレームを備えるため、各固定器３が、フレームを挟持し固定する時、各固定器２相互間の距離は、サイズの違うフレームに従い違うことが多い。よって、各種違った形式及びサイズのラケットに合わせて固定するため、各固定器３の相互間は、単一の距離にしか定位できない、という訳にはいかない。さらに、普段使用しない時には、ガット張り機が占拠するスペースを縮小するため、ガット張り作業の完了後には、しばしば各固定器３を近寄せて定位する。しかしこれでは、固定器３を移動させて定位しようとする度に、先ず、固定ボルト５を回して緩め、固定器３の定位状態を解除し、固定器３を必要な位置まで移動させた時には、固定ボルト５を回して締め、固定器３に定位状態を回復させなければならず、操作が非常に面倒である。本考案は、従来のラケットのガット張り機のラケットフレーム固定器の定位構造の上記した欠点に鑑みてなされたものである。
【考案の概要】
【考案が解決しようとする課題】
【０００５】
本考案が解決しようとする課題は、新開発のスイング式爪部品により、ラチェットを備えるラックを対応させ、固定器のガット張り機の台板における定位を迅速に解除及び回復し、こうして固定器の移動と定位の利便性を高めることができるラケットのガット張り機のラケットフレーム固定器の定位構造を提供することである。
【課題を解決するための手段】
【０００６】
上記課題を解決するため、本考案は下記のラケットのガット張り機のラケットフレーム固定器の定位構造を提供する。
ラケットのガット張り機のラケットフレーム固定器の定位構造は、ラック、爪部品、操作部品、バネを備え、
該ラックは、ガット張り機の台板に嵌めて設置し、該ラック頂点面には、複数の単方向ラチェットを一列に設置し、
固定器の柱状本体は、該台板の頂点に設置し、該本体内部には、収容室を設置し、該ラックと隣接し、
該爪部品は、該収容室内に可動状に設置し、該爪部品底端は、該ラックに向かい延伸し、該ラックのラチェットと単方向固定を形成し、これにより該固定器を定位し、
該バネは、該収容室内に設置し、該バネの一端は、該本体と接続し、反対端は、該爪部品と接続し、こうして該爪部品は、該ラックに対する単方向固定を保持することができ、  該操作部品は、該収容室に可動状に設置する湾曲したカギ状板体で、該操作部品の一端は、ロック部となり、反対端は、定位部となり、該ロック部と該定位部とは、相対し、しかも該操作部品は、該ロック部と該定位部との間の湾曲状部分は、操作部で、該操作部は、該本体外へと突出し、該操作部品は、該定位部に、ピボットを設置し、該本体と可動状に接続し、
該爪部品頂点端は、該ロック部と該定位部との間に延伸し、しかも該ロック部の底面と隣接し、これにより該ロック部は、該爪部品のスイングを止め、こうして該固定器を移動させて定位する操作の利便性を高め、
該操作部品は、片側が横向きに陥没し長槽を形成し、
該長槽には、位置限定棒を可動状に挿入し、該位置限定棒の一端は、該本体と接続し、
これにより、該操作部品のスイング範囲を制限し、
該爪部品中央部分には、軸棒を貫通状に設置し、
該軸棒は、該収容室の両側内壁に通して設置し、これにより該爪部品は、該軸棒を軸心として、往復スイング作動を行い、
該バネの一端は、定位ピンに嵌め、
該定位ピンは、該本体と螺合して接続し、しかも該バネの一端は、該収容室の内壁に接触し、
該バネの反対端は、該爪部品に可動状に嵌め、こうして該バネを定位し、
該台板底面には、受止板を設置し、
該受止板に、該ラックを設置して定位する。
【考案の効果】
【０００７】
本考案のラケットのガット張り機のラケットフレーム固定器の定位構造は、新開発のスイング式爪部品により、ラチェットを備えるラックを対応させ、固定器のガット張り機の台板における定位を迅速に解除及び回復し、こうして固定器の移動と定位の利便性を高めることができる。
【図面の簡単な説明】
【０００８】
【図１】従来のガット張り機のラケットフレーム固定器の定位構造の一部分を分解した立体模式図である。
【図２】従来のガット張り機のラケットフレーム固定器の定位構造の縦断面模式図である。
【図３】本考案実施例の立体図である。
【図４】本考案実施例の立体分解図である。
【図５】本考案実施例の縦断面局部模式図である。
【図６】本考案実施例の作動状態模式図である。
【考案を実施するための形態】
【０００９】
以下に図面を参照しながら本考案を実施するための最良の形態について詳細に説明する。
【実施例】
【００１０】
図３、４、５に示すように、本考案ラケットのガット張り機のラケットフレーム固定器の定位構造の実施例は、ラック１０、導板２０、爪部品３０、操作部品４０、バネ５０を備える。ラック１０は、ガット張り機の台板９０に嵌めて設置する。ラック１０頂点面には、複数のラチェット１２を一列に設置する。導板２０は、台板９０頂点に嵌めて設置する。台板９０底面は、導板２０に対応し、受止板６０を設置する。受止板６０に、ラック１０を設置して定位する。導板２０には、長方形の導槽２２を２本、貫通状に設置する。各導槽２２は、ラック１０両側とそれぞれ隣接し、しかも各導槽２２とラック１０とは平行である。受止板６０には、長方形の嵌槽６４を２本、貫通状に設置し、各導槽２２とそれぞれ隣接する。固定器８０の柱状本体８１は、台板９０の頂点に設置する。本体８１底面には、長方形のスライドブロック８２を２個設置する。各スライドブロック８２は、各導槽２２と各嵌槽６４にそれぞれ可動状に嵌める。これにより、固定器８０を導引し、導槽２２方向に沿って往復スライドさせる。受止板６０底面には、接続台８３を設置し、これに、各スライドブロック８２を定位する。
【００１１】
本体８１内部には、収容室８５を形成し、ラック１０と隣接する。爪部品３０は、収容室８５内に可動状に設置する。爪部品３０中央部分には、軸棒３２を貫通状に設置する。軸棒３２両端は、収容室８５の両側内壁にそれぞれ通して設置し、これにより爪部品３０は、収容室８５内部において、軸棒３２を軸心として、往復スイング作動を行う。爪部品３０の底端は、ラック１０に向かい延伸し、ラック１０のラチェット１２と単方向固定を形成し、これにより固定器８０を定位する。
【００１２】
操作部品４０は、収容室８５に可動状に設置する。操作部品４０は、湾曲したカギ状の板体であるため、操作部品４０の一端は、ロック部４１となり、反対端は、定位部４２となる。ロック部４１と定位部４２とは、相対し、しかも操作部品４０は、ロック部４１と定位部４２との間の湾曲状中段部分は、操作部４３である。操作部４３は、本体８１外へと突出する。操作部品４０は、定位部４２に、ピボット４４を設置する。ピボット４４両端は、本体８１とそれぞれ可動状に接続する。操作部品４０中段部分は、片側が横向きに陥没し長槽４５を形成する。長槽４５には、位置限定棒４６を可動状に挿入する。位置限定棒４６の一端は、本体８１と接続する。これにより、操作部品４０は、ピボット４４を軸心として、スイング作動を行い、これに対応し、位置限定棒４６は、操作部品４０のスイング範囲を制限する。爪部品３０の頂点端は、ロック部４１と定位部４２との間に延伸し、しかも爪部品３０とロック部４１の底面とは隣接する。これにより、ロック部４１は、爪部品３０のスイングを止め、こうして爪部品３０とラック１０の単方向固定を解除する。これにより、固定器８０を移動させて定位する操作の利便性を高めることができる。
【００１３】
バネ５０は、収容室８５内に設置する螺旋バネである。バネ５０の一端は、本体８１と接続し、反対端は、爪部品３０と接続する。バネ５０の一端は、定位ピン５２に嵌める。定位ピン５２は、本体８１と螺合して接続し、しかもバネ５０の一端は、収容室８５の内壁に接触する。バネ５０の反対端は、爪部品３０に可動状に嵌める。こうして、バネ５０を定位し、バネ５０は爪部品３０に弾力を提供するため、爪部品３０は、ラック１０に対する単方向固定を保持することができる。
【００１４】
図４〜６に示すように、ガット張り機の固定器８０を調節し、固定器８０に、ラケットの環状フレーム(図示なし)を挟持させる時には、先ず、対になった２個の固定器８０を、ガット張り機の台板９０の両端方向へとそれぞれ移動させる。これにより、２個の固定器８０間の間隔距離は拡大する。この時、ラック１０頂点は、単方向ラチェット１２を構成するため、固定器８０を直接外へと押して移動させる。バネ５０の弾力は、爪部品３０に対して押す作用を形成するため、爪部品３０は、固定器８０において、外へと押されて移動する過程において、爪部品３０の末端とラック１０とは、接触状態を保持し、各ラチェット１２に一つずつ順番に嵌る。固定器８０が必要な位置まで移動し定位されると、爪部品３０とラチェット１２相互間の相対構成により、固定器８０は定位され、台板９０中央方向へと任意に移動することはない。これにより、ラケットフレームの固定作業を遂行することができる。ガット張り作業が完了したなら、フレームを取り外し、固定器８０を台板１中央方向へと移動させる。これにより、使用しない時にガット張り機を収納する際には、図６に示すように、本体８１に向かい操作部４３を押し、こうして操作部品４０は、ピボット４４を軸心として、時計回りの方向にスイングする。これにより、ロック部４１は、爪部品３０頂点端を下方へと押し、こうして爪部品３０は、軸棒３２を中心として逆時計回りの方向にスイングし、爪部品３０とラック１０の単方向固定を解除する。こうして、各固定器８０を内側へと押して移動させることができる。これにより、各固定器８０が、台板９０中央方向へとそれぞれ必要な位置まで移動し定位されると、操作部４３に対する制御を解除し、バネ５０の弾力により、爪部品３０は復位し、爪部品３０とラック１０との間の単方向固定を回復し、こうして固定器８０を定位する。
【００１５】
上記したように、本考案は新開発の構成により、固定器８０を外側へと移動させようとする時には、固定器８０の定位を先に解除する必要はなく、直接、固定器８０を外へ押して移動させ定位するだけで良い。一方、固定器８０を内側へと移動させようとする時には、操作部品４０を押せば、固定器８０の定位を解除することができ、これにより簡単に固定器８０を内側へと移動させることができる。すなわち、固定器８０の移動及び定位操作を簡単かつ迅速に行うことができ、使用の利便性を高めることができる。
【００１６】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１７】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００１８】
１  台板
２  導板
２０２  導槽
３  固定器
４  ベース
４０２  底板
４０４  固定柱
５  固定ボルト
５０２  回転ヘッド
１０  ラック
１２  ラチェット
２０  導板
２２  導槽
３０  爪部品
３２  軸棒
４０  操作部品
４１  ロック部
４２  定位部
４３  操作部
４４  ピボット
４５  長槽
４６  位置限定棒
５０  バネ
５２  定位ピン
６０  受止板
６４  嵌槽
８０  固定器
８１  本体
８２  スライドブロック
８３  接続台
８５  収容室
９０  台板
【図１】
0003173761.tif 000003
【図２】
0003173761.tif 000004
【図３】
0003173761.tif 000005
【図４】
0003173761.tif 000006
【図５】
0003173761.tif 000007
【図６】
0003173761.tif 000008